(57)【要約】【課題】型枠パネルに対して容易に配設することができ、補強用鉄筋部材に確実に固定することが可能な型枠用セパレータを提供することを目的とする。【解決手段】略平行に立設された一対の型枠パネル１０の互いに対応する位置に挿通口Ｈが設けられている。この挿通口Ｈには、型枠用セパレータ２０が挿通されている。型枠用セパレータ２０の両端には、略螺旋形状に折曲された取付部２４が設けられている。この取付部２４の中心には、略円形状を呈する穴部２４ａが設けられている。ここで、この穴部２４ａには、穴部２４ａより若干細めの径を有する補強用鉄筋部材１８が挿通されている。【選択図】　図２
2004124598.tif 000002
【特許請求の範囲】
【請求項１】
所定の金属製枠体に対して網材を張架して形成されてコンクリートの打設空間を挟んで対峙するように配設される型枠パネルと、
金属製の太径の棒状体にて構成されて同型枠パネルの外側に配設される補強用鉄筋部材と、
金属製の棒状体にて構成されて上記打設空間と両側の型枠パネルを貫通しつつ当該棒状体の両端にて上記補強用鉄筋部材を固定する型枠用セパレータと
を具備することを特徴とする型枠形成ユニット。
【請求項２】
前記補強用鉄筋部材が、前記型枠用セパレータの両端において同型枠用セパレータを固定していることを特徴とする請求項１に記載の型枠形成ユニット。
【請求項３】
前記型枠用セパレータが、前記型枠パネルの水平方向に複数設けられ、かつ、前記補強用鉄筋部材が同複数設けられた型枠用セパレータ同士を連結していることを特徴とする請求項１に記載の型枠形成ユニット。
【請求項４】
所定の金属製枠体に対して網材を張架して形成された型枠パネルをコンクリートの打設空間を挟んで対峙するように配設し、
金属製の棒状体にて構成された型枠用セパレータを前記打設空間と両側の型枠パネルとに貫通させ、
金属製の太径の棒状体にて構成された補強用鉄筋部材を前記型枠用セパレータの端部に固定させつつ前記型枠パネルの外側に立設させることを特徴とする型枠形成方法。
【請求項５】
前記型枠用セパレータを前記型枠パネルの水平方向に複数設けるとともに同型枠用セパレータの端部を前記補強用鉄筋部材にて連結することを特徴とする請求項４に記載の型枠形成方法。
【請求項６】
前記型枠用セパレータの両端には、同型枠用セパレータを前記補強用鉄筋部材に固定するための取付部が設けられていることを特徴とする請求項１に記載の型枠形成ユニット。
【請求項７】
前記取付部が、略螺旋形状に形成されていることを特徴とする請求項６に記載の型枠形成ユニット。
【請求項８】
前記取付部が、略リング形状に形成されていることを特徴とする請求項６に記載の型枠形成ユニット。
【請求項９】
前記型枠用セパレータが、略板状を呈する部材にて形成され、かつ、同型枠用セパレータの両端には、前記補強用鉄筋部材を固定可能な形状を呈する取付部が設けられていることを特徴とする請求項１に記載の型枠形成ユニット。
【請求項１０】
前記取付部には、前記補強用鉄筋部材が同取付部から水平方向に脱落することを防止するための抱持部材であって、平面視略Ｕ字形状を呈する同取付部の自由端同士を同時に係止可能な形状を呈する抱持部材が設けられていることを特徴とする請求項６に記載の型枠形成ユニット。
【請求項１１】
前記抱持部材が、断面視略コ字状に形成され、かつ、コ字状の一方の端部が平面視略コ字状に切欠されていることを特徴とする請求項１０に記載の型枠形成ユニット。
【請求項１２】
前記抱持部材が、平面視略コ字状を呈する平板部材にて形成されていることを特徴とする請求項１０に記載の型枠形成ユニット。
【請求項１３】
前記抱持部材が、所定の可撓性を有する部材の内部に前記取付部と前記補強用鉄筋部材との連結箇所の外形形状に合わせた空隙を有することを特徴とする請求項１０に記載の型枠形成ユニット。
【発明の詳細な説明】
【０００１】
【発明の属する技術分野】
本発明は建造物等の基礎となるコンクリート型を成形する際に使用して好適な型枠形成ユニットに用いられる型枠用セパレータに関する。
【０００２】
【従来の技術】
従来、建造物の基礎としてのコンクリート型を形成する型枠形成ユニットは、一対の型枠パネルを互いに平行となるように立設させてコンクリートの打設空間を形成している。すなわち、型枠パネルは、鋼線材等により形成された金属支持枠によって囲まれたメタルラス等と呼ばれる網目の細かい金属メッシュを連続して接続するとともに、その外側に縦軸の細梁部材と横軸の細梁部材とを金属メッシュに溶接固定されている。これにより、型枠パネルは、金属支持枠と金属メッシュと縦横の細梁部材とが一体に形成されている。また、この型枠パネルには、両端にＲ状の取付部を設けた型枠用セパレータが、一対の型枠パネル間に懸橋されている。この型枠用セパレータの取付部は、横軸の細梁部材と概ね同様の状態で型枠パネルに溶接固定された補強用鉄筋部材に固定されている。このように構成される型枠パネルの間にコンクリートを注入すると、型枠パネルの形状に合わせてコンクリート型が成形される。（例えば、特許文献参照。）。
【０００３】
【特許文献】
特許第３０９０９０９号公報　（第４−６頁、第１３図）
【０００４】
【発明が解決しようとする課題】
しかしながら、上述した従来の型枠用セパレータにおいては、型枠パネルへの配設が面倒であった。
また、型枠用セパレータが補強用鉄筋部材から脱落する可能性があった。
【０００５】
そこで、本発明は、上記の課題に鑑みてなされたものであって、型枠パネルに対して容易に配設することができ、補強用鉄筋部材に確実に固定することが可能な型枠用セパレータを提供することを目的とする。
【０００６】
【課題を解決するための手段】
上記目的を達成するため、請求項１にかかる発明は、所定の金属製枠体に対して網材を張架して形成されてコンクリートの打設空間を挟んで対峙するように配設される型枠パネルと、金属製の太径の棒状体にて構成されて同型枠パネルの外側に配設される補強用鉄筋部材と、金属製の棒状体にて構成されて上記打設空間と両側の型枠パネルを貫通しつつ当該棒状体の両端にて上記補強用鉄筋部材を固定する型枠用セパレータとを具備する構成としてある。
上記のように構成した請求項１にかかる発明においては、所定の金属製枠体に対して網材を張架して形成されてコンクリートの打設空間を挟んで対峙するように配設される型枠パネルの外側に、金属製の太径の棒状体にて構成された補強用鉄筋部材を配設する。そして、金属製の棒状体にて形成された型枠用セパレータをコンクリートの打設空間と両側の型枠パネルとを貫通しつつ棒状体の両端にて補強用鉄筋部材と固定する。
これにより、型枠用セパレータを型枠パネルに対して容易に配設することができ、補強用鉄筋部材に確実に固定することができる。
【０００７】
また、請求項２にかかる発明は、前記補強用鉄筋部材が、前記型枠用セパレータの両端において同型枠用セパレータを固定している構成としてある。
上記のように構成した請求項２にかかる発明においては、補強用鉄筋部材が、型枠用セパレータの両端において同型枠用セパレータを固定している。
これにより、型枠用セパレータを型枠パネルに対して容易に配設することができ、補強用鉄筋部材に確実に固定することができる。
【０００８】
また、請求項３にかかる発明は、前記型枠用セパレータが前記型枠パネルの水平方向に複数設けられ、かつ、前記補強用鉄筋部材が同複数設けられた型枠用セパレータの端部同士を連結している構成としてある。
上記のように構成した請求項３にかかる発明においては、型枠用セパレータが型枠パネルの水平方向に複数設けられている状態で補強用鉄筋部材が複数設けられた型枠用セパレータの端部同士を連結している。具体的には、複数の型枠用セパレータを水平方向に所定の間隔をおいて配設すると、型枠パネルの外側に型枠用セパレータの端部が若干突出した状態となる。ここで、補強用鉄筋部材を型枠用セパレータの端部を串刺しするように連続して固定する。
これにより、型枠用セパレータを型枠パネルに対して容易に配設することができ、補強用鉄筋部材に確実に固定することができる。
【０００９】
また、請求項４にかかる発明は、所定の金属製枠体に対して網材を張架して形成された型枠パネルをコンクリートの打設空間を挟んで対峙するように配設し、金属製の棒状体にて構成された型枠用セパレータを前記打設空間と両側の型枠パネルとに貫通させ、金属製の太径の棒状体にて構成された補強用鉄筋部材を前記型枠用セパレータの端部に固定させつつ前記型枠パネルの外側に立設させる構成としてある。
上記のように構成した請求項４にかかる発明においては、所定の金属製枠体に対して網材を張架して形成された型枠パネルをコンクリートの打設空間を挟んで対峙するように配設し、金属製の棒状体にて構成された型枠用セパレータをコンクリートの打設空間と両側の型枠パネルとに貫通させ、金属製の太径の棒状体にて構成された補強用鉄筋部材を型枠用セパレータの端部に固定させつつ型枠パネルの外側に立設させる。
これにより、型枠用セパレータを型枠パネルに対して容易に配設することができ、補強用鉄筋部材に確実に固定することができる。
【００１０】
また、請求項５にかかる発明は、前記型枠用セパレータを前記型枠パネルの水平方向に複数設けるとともに同型枠用セパレータの端部を前記補強用鉄筋部材にて連結する構成としてある。
上記のように構成した請求項５にかかる発明においては、型枠用セパレータを型枠パネルの水平方向に複数設けるとともに型枠用セパレータの端部を補強用鉄筋部材にて連結する。
これにより、型枠用セパレータを型枠パネルに対して容易に配設することができ、補強用鉄筋部材に確実に固定することができる。
【００１１】
また、請求項６にかかる発明は、前記型枠用セパレータの両端には、同型枠用セパレータを前記補強用鉄筋部材に固定するための取付部が設けられている構成としてある。
上記のように構成した請求項６にかかる発明においては、型枠用セパレータの両端に補強用鉄筋部材を固定するための取付部が設けられている。具体的には、型枠用セパレータの端部を折曲可能な治具等を用いて補強用鉄筋部材に固定することが可能な形状に折曲する。
これにより、型枠用セパレータを型枠パネルに対して容易に配設することができ、補強用鉄筋部材に確実に固定することができる。
【００１２】
また、請求項７にかかる発明は、前記取付部が、略螺旋形状に形成されている構成としてある。
上記のように構成した請求項７にかかる発明においては、型枠用セパレータの両端を略螺旋形状に形成する。具体的には、鉄筋部材を折曲するための治具等を用いて取付部の端部を一回転半程度螺旋状に折曲する。この際、螺旋の中心付近に形成された輪状口は、所定径の鉄筋部材を挿通可能に形成されている。つまり、型枠用セパレータを型枠パネルに固定する際には、取付部の輪状口に所定の鉄筋部材を挿通することにより行われる。
これにより、型枠用セパレータを型枠パネルに対して容易に配設することができ、補強用鉄筋部材に確実に固定することができる。
【００１３】
また、請求項８にかかる発明は、前記取付部が、略リング形状に形成されている構成としてある。
上記のように構成した請求項８にかかる発明においては、取付部が略リング形状に形成されている。具体的には、鉄筋部材を折曲するための治具等を用いて取付部の端部を略円形状に折曲した後、その先端部を溶接して平面視略リング形状に形成する。
これにより、型枠用セパレータを型枠パネルに対して容易に配設することができ、補強用鉄筋部材に確実に固定することができる。
【００１４】
また、請求項９にかかる発明は、前記型枠用セパレータが、略板状を呈する部材にて形成され、かつ、同型枠用セパレータの両端には、前記補強用鉄筋部材を固定可能な形状を呈する取付部が設けられている構成としてある。
上記のように構成した請求項９にかかる発明においては、型枠用セパレータが、略板状を呈する部材にて形成され、かつ、型枠用セパレータの両端には、補強用鉄筋部材を固定可能な形状を呈する取付部が設けられている。
これにより、型枠用セパレータを型枠パネルに対して容易に配設することができ、補強用鉄筋部材に確実に固定することができる。
【００１５】
また、請求項１０にかかる発明は、前記取付部には、前記補強用鉄筋部材が同取付部から水平方向に脱落することを防止するための抱持部材であって、平面視略Ｕ字形状を呈する同取付部の自由端同士を同時に係止可能な形状を呈する抱持部材が設けられている構成としてある。
上記のように構成した請求項１０にかかる発明においては、取付部には、補強用鉄筋部材が取付部から水平方向に脱落することを防止するための抱持部材が設けられている。すなわち、この抱持部材は、平面視略Ｕ字形状を呈する取付部の自由端同士を同時に係止可能な形状を呈している。
これにより、平面視略Ｕ字形状に形成された取付部を有する型枠用セパレータを補強用鉄筋部材に対して確実に固定することができる。
【００１６】
また、請求項１１にかかる発明は、前記抱持部材が、断面視略コ字状に形成され、かつ、コ字状の一方の端部が平面視略コ字状に切欠されている構成としてある。
上記のように構成した請求項１１にかかる発明においては、抱持部材が、断面視略コ字状に形成され、かつ、コ字状の一方の端部が、さらに、平面視略コ字状に切欠されている。具体的には、略短冊状の板状部材を断面視略コ字状に折曲して凹状部を形成し、一方の自由端に平面視略コ字状に切欠して切欠部を形成する。すなわち、この抱持部材は、型枠用セパレータの取付部に補強用鉄筋部材が取り付けられている状態で、補強用鉄筋部材の取り付けられている箇所よりも内側の取付部を切欠部に挿通するとともに補強用鉄筋部材と取付部との取付箇所を凹状部に挿通すると、補強用鉄筋部材の水平方向の動きが制限されることとなる。これにより、平面視略Ｕ字形状に形成された取付部を有する型枠用セパレータを補強用鉄筋部材に対して確実に固定することができる。
【００１７】
また、請求項１２にかかる発明は、前記抱持部材が、平面視略コ字状を呈する平板部材にて形成されている構成としてある。
上記のように構成した請求項１２にかかる発明においては、抱持部材を平面視略コ字状を呈する平板部材を用いて形成する。具体的には、平板部材を略コ字状に切り取り、その切り取られた箇所の奥まった位置に取付部を係止するための切欠部を設ける。すなわち、取付部に補強用鉄筋部材が取り付けられた状態で、取付部の所定位置に抱持部材を係止させると、補強用鉄筋部材の水平方向の動きが制限されることとなる。
これにより、平面視略Ｕ字形状に形成された取付部を有する型枠用セパレータを補強用鉄筋部材に対して確実に固定することができる。
【００１８】
また、請求項１３にかかる発明は、前記抱持部材が、所定の可撓性を有する部材の内部に前記取付部と前記補強用鉄筋部材との取付箇所の外形形状を有する構成としてある。
上記のように構成した請求項１３にかかる発明においては、抱持部材が、所定の可撓性を有する部材にて形成され、その内部に取付部と補強用鉄筋部材との取付箇所の外形形状に合わせた空隙が形成されている。具体的には、所定の合成樹脂材にて形成された略直方体の内部に、取付部と補強用鉄筋部材との取付箇所の外形形状に合わせた空隙を形成する。つまり、取付部と補強用鉄筋部材との取付箇所を覆うようにして抱持部材を取り付ける。すると、補強用鉄筋部材の水平方向の動きが制限されることとなる。
これにより、平面視略Ｕ字形状に形成された取付部を有する型枠用セパレータを補強用鉄筋部材に対して確実に固定することができる。
【００１９】
【発明の効果】
以上説明したように本発明は、型枠用セパレータを型枠パネルに対して容易に配設することができ、補強用鉄筋部材に確実に固定することが可能な型枠形成ユニットを提供することができる。
また、請求項２にかかる発明によれば、型枠用セパレータを型枠パネルに対して容易に配設することができ、補強用鉄筋部材に確実に固定することができる。また、請求項３にかかる発明によれば、型枠用セパレータを型枠パネルに対して容易に配設することができ、補強用鉄筋部材に確実に固定することができる。また、請求項４にかかる発明によれば、型枠用セパレータを型枠パネルに対して容易に配設することができ、補強用鉄筋部材に確実に固定することができる。また、請求項５にかかる発明によれば、型枠用セパレータを型枠パネルに対して容易に配設することができ、補強用鉄筋部材に確実に固定することができる。また、請求項６にかかる発明によれば、型枠用セパレータを型枠パネルに対して容易に配設することができ、補強用鉄筋部材に確実に固定することができる。また、請求項７にかかる発明によれば、型枠用セパレータを型枠パネルに対して容易に配設することができ、補強用鉄筋部材に確実に固定することができる。また、請求項８にかかる発明によれば、型枠用セパレータを型枠パネルに対して容易に配設することができ、補強用鉄筋部材に確実に固定することができる。また、請求項９にかかる発明によれば、型枠用セパレータを型枠パネルに対して容易に配設することができ、補強用鉄筋部材に確実に固定することができる。また、請求項１０にかかる発明によれば、平面視略Ｕ字形状に形成された取付部を有する型枠用セパレータを補強用鉄筋部材に対して確実に固定することができる。
また、請求項１１にかかる発明によれば、平面視略Ｕ字形状に形成された取付部を有する型枠用セパレータを補強用鉄筋部材に対して確実に固定することができる。
また、請求項１２にかかる発明によれば、平面視略Ｕ字形状に形成された取付部を有する型枠用セパレータを補強用鉄筋部材に対して確実に固定することができる。
また、請求項１３にかかる発明によれば、平面視略Ｕ字形状に形成された取付部を有する型枠用セパレータを補強用鉄筋部材に対して確実に固定することができる。
【００２０】
【発明の実施の形態】
ここでは、下記の順序に従って本発明の実施形態を説明する。
（１）型枠形成ユニットの概要：
（２）型枠用セパレータの説明：
（３）型枠用セパレータの変形例：
【００２１】
（１）型枠用セパレータの概要：
本発明に基づく実施の形態について図面を利用して説明する。
図１は、本実施例にかかる型枠形成ユニットＡ１の構成を示す全体斜視図である。
同図において、型枠形成ユニットＡ１は、型枠パネル１０と、型枠用セパレータ２０とから形成されており、建造物の基礎たるコンクリート型を成形する際にこれらの部品を適宜使用して型枠を形成し、同型枠にコンクリートを打設して硬化させることによりコンクリート型を成形する。
【００２２】
型枠パネル１０は、枠本体部１２と、第１鉄筋部材１４と、第２鉄筋部材１６と、補強用鉄筋部材１８とから形成されている。
まず、枠本体部１２は、金属枠体１２ａと網材１２ｂとから形成されている。この金属枠体１２ａは、第１鉄筋部材１４等と同様の鉄筋部材にて形成されており、型枠パネル１０の外周枠を形成している。
【００２３】
また、網材１２ｂは、メタルラス等と呼ばれる綱線材等により形成され、一つの格子が約７ｍｍ×１４ｍｍ角の網目状に組み合わせることにより形成されている。また、この網材１２ｂは、金属枠体１２ａに対して、その枠面を覆うように配設されている。
【００２４】
第１鉄筋部材１４は、５〜８ｍｍ径の略棒状を呈する鉄筋にて形成されている。この第１鉄筋部材１４は、金属枠体１２の外側付近に直立されるとともに互いに所定の間隔を余して複数設けられている。この第１鉄筋部材１４は、網材１２ｂに溶接される等して固定されている。
【００２５】
第２鉄筋部材１６は、第１鉄筋部材と同様に、５〜８ｍｍ径の略棒状を呈する鉄筋部材にて形成されている。この第２鉄筋部材１６は、第１鉄筋部材１４と直交するようにして第１鉄筋部材１４に溶接固定されている。
【００２６】
また、第２鉄筋部材１６のさらに外側には、補強用鉄筋部材１８が配設されている。この補強用鉄筋部材１８は、５〜１０ｍｍ径の鉄筋部材にて形成されており、第２鉄筋部材１６等には固定されることなく配設されている。なお、この補強用鉄筋部材１８は、配設する方法及び目的が第１鉄筋部材１４や第２鉄筋部材１６等とは異なるので、それについて後述することとする。
【００２７】
型枠用セパレータ２０は、一対の補強用鉄筋部材１８を連結するように配設されている。すなわち、この型枠用セパレータ２０は、型枠パネル１０の高さによって配設される本数が適宜増減されるが、実際には少なくとも２本以上配設されるのが好ましい。なお、本実施例においては、図１に示すように、一本の補強用鉄筋部材１８につき、２本の型枠用セパレータ２０が所定の間隔をおいて配設されている場合を示している。これは、以下に記載の変形例においても同様の構成として記載することとする。
【００２８】
ここで、本実施例においては、型枠用セパレータ２０が、発明の要点となる箇所であるので、この型枠用パネル２０の詳細な構成について図面を利用して説明する。
【００２９】
（２）型枠用セパレータの説明：
図２は、本実施例にかかる型枠形成ユニットＡ１の要部の構成を示す拡大斜視図である。
同図において、型枠用セパレータ２０は、５〜８ｍｍ径の所定の長さの棒状を呈する鉄筋により形成されている。この型枠用セパレータ２０は、懸橋部２２と、取付部２４とから形成されている。すなわち、この型枠用セパレータ２０の両端には、略螺旋形状に形成された一対の取付部２４が設けられており、その中間に懸橋部２２が形成されている。
【００３０】
懸橋部２２は、型枠用セパレータ２０を一対の型枠パネル１０に配設される際に、一対の型枠パネル１０の間を渡って配設される部分である。従って、この懸橋部２２の長さは、一対の型枠パネル１０間の幅と概ね同等の長さに形成されている。
【００３１】
取付部２４は、上述のごとく、所定の治具（図示省略）等を用いて略螺旋形状に形成されている。これにより、取付部２４の中心には、所定の径を有する穴部２４ａが形成されている。この穴部２４ａは、補強用鉄筋部材１８を挿通するために設けられている。従って、この穴部２４ａの径は、補強用鉄筋部材１８よりも若干大きめに形成されている。なお、この取付部２４の巻き数は、一回転半程度が適当であるが、この巻き数は、取付部２４が補強用鉄筋部材１８から脱落しない程度であれば、適宜増減してもよい。
【００３２】
型枠用セパレータ２０は、図２に示すように、一対の型枠パネル１０に渡って懸橋されている。すなわち、型枠パネル１０には、型枠用セパレータを配設するための挿通口Ｈが網材１２ｂの所定位置を拡開することにより形成されている。つまり、この型枠用セパレータ２０は、一対の型枠パネル１０が平行に立設された状態で、一方の型枠パネルの側面方向から型枠用セパレータ２０を挿通口Ｈに挿通するとともに、もう一方の型枠パネル１０に設けられている挿通口Ｈに挿通することにより、一対の取付部２４が一対の型枠パネル１０の相反する側面方向にそれぞれ突出した状態に配設される。
【００３３】
ここで、一対の取付部２４の有する穴部２４ａには、補強用鉄筋部材１８が挿通されている。すなわち、この補強用鉄筋部材１８は、上方から穴部２４ａに挿通した後、地面に落下させる要領で配設されている。
【００３４】
図３は、本実施例にかかる型枠形成ユニットＡ１の要部の構成を示す図であって、Ｘ１矢視線（図１参照）より視認した矢視断面図である。
同図において、型枠用セパレータ２０は、型枠パネル１０に設けられている第２鉄筋部材１６上に載置することによって垂直方向に保持されている。
【００３５】
型枠用セパレータ２０は、一対の型枠パネル１０のそれぞれの外側に配設された補強用鉄筋部材１８により横方向に支持されている。ここで、コンクリートの打設空間Ｓにコンクリートが注入されると、型枠パネル１０の外周方向へ膨張する。そこで、型枠用セパレータ２０を補強用鉄筋部材１８に固定することにより、型枠パネル１０が必要以上に外側へ膨張することを抑止している。つまり、この型枠用セパレータ２０は、型枠用セパレータ２０の両端を一対の補強用鉄筋部材１８によって保持することにより、型枠パネル１０の膨らみを最大でも補強用鉄筋部材１８の幅にくい止める役割を有している。
【００３６】
図４は、本実施例にかかる型枠形成ユニットＡ１の使用状態を示す斜視図である。
同図において、型枠パネル１０に型枠用セパレータ２０を配設する手順について説明する。まず、最初に一対の型枠パネル１０を平行に立設させる。この際、一対の型枠パネル１０のそれぞれに設けられている網材１２ｂの所定位置を拡開して所定の大きさの挿通口Ｈを形成する。ここで、矢印▲１▼に示すように、一方の型枠パネル１０の側方から型枠用セパレータ２０の取付部２４を挿通口Ｈに挿通させる。そして、矢印▲２▼に示すように、そのままもう一方の型枠パネル１０に設けられた挿通口Ｈに取付部２４を挿通させる。すると、型枠用セパレータ２０は、一対の型枠パネル１０に懸橋された状態となる。
【００３７】
ここで、矢印▲３▼に示すように、垂直に２段設けられている型枠用セパレータ２０の有する取付部２４の穴部２４ａに補強用鉄筋部材１８を上方から挿通させる。これを型枠用セパレータ２０の反対側の端部に設けられている取付部２４においても同時に行うことにより、型枠用セパレータ２０が型枠パネル１０に固定された状態となる。
【００３８】
なお、本実施例の型枠用セパレータ２０は、補強用鉄筋部材１８以外に固定されていてもよい。これについて、以下、本実施例の応用例として図面を利用して説明する。
【００３９】
図５は、本実施例にかかる型枠形成ユニットＡ１の応用例を示す斜視図である。
同図において、型枠用セパレータ２０は、型枠パネル１０の挿通口Ｈに挿通された状態で軸方向に９０度回転された状態を示している。すなわち、取付部２４の有する穴部２４ａは、水平方向に開口した状態を呈している。ここで、この取付部２４の穴部２４ａに第４鉄筋部材１７を挿通する。すなわち、この第４鉄筋部材１７は、第２鉄筋部材１６と平行にした状態、すなわち、地面と平行にした状態で取付部２４の穴部２４ａに挿通される。これを型枠用セパレータ２０の反対側の端部に設けられている取付部２４においても同時に行うことにより、型枠用セパレータ２０が型枠パネル１０に固定された状態となる。
【００４０】
（３）型枠用セパレータの変形例：
次に、型枠形成ユニットＡ１の第１の変形例としての型枠用セパレータ１２０について図面を利用して説明する。
【００４１】
図６は、型枠形成ユニットＡ１の第１の変形例の要部の構成を示す斜視図である。
同図において、型枠用セパレータ１２０は、懸橋部１２２と、取付部１２４とを有している。ここで、型枠用セパレータ１２０は、上述の型枠用セパレータ２０とは取付部１２４の構造に異なる箇所を有するので、それについて以下説明することとする。
【００４２】
取付部１２４は、型枠用セパレータ２０の端部を所定の治具を用いて折曲するとともに、その端部を溶接することにより平面視略輪状に形成されている。ここで、この取付部１２４の中心には、所定径を呈する穴部１２４ａが設けられている。この型枠用セパレータ１２０は、上述した型枠用セパレータ２０と同様に、型枠パネル１０の有する挿通口Ｈに挿通して補強用鉄筋部材１８を穴部１２４ａに挿通することにより型枠パネル１０に固定されている。
【００４３】
次に、型枠形成ユニットＡ１の第２の変形例としての型枠用セパレータ２２０について図面を利用して説明する。
図７は、型枠形成ユニットＡ１の第２の変形例の要部の構成を示す斜視図である。
同図において、型枠用セパレータ２２０は、懸橋部２２２と、取付部２２４とを有している。ここで、型枠用セパレータ２２０は、上述の型枠用セパレータ２０とは、全体的に異なる形状を呈している。すなわち、型枠用セパレータ２２０は、平面視略楕円形状を呈する細長い略板状部材により形成されている。そして、この型枠用セパレータ２２０は、両端に略円形状の開口部２２４ａを有する一対の取付部２２４が形成されている。
【００４４】
次に、型枠形成ユニットＡ１の第３の変形例としての型枠用セパレータ３２０について図面を利用して説明する。
図８は、型枠形成ユニットＡ１の第３の変形例の要部の構成を示す斜視図である。
同図において、型枠用セパレータ３２０は、懸橋部３２２と、取付部３２４とを有している。ここで、取付部３２４は、上述の型枠用セパレータ２０とは取付部３２４の構造に異なる箇所を有しているので、それについて以下説明することとする。
【００４５】
取付部３２４は、所定の治具を用いて略Ｕ字形状に折曲されている。ここで、型枠用セパレータ３２０を型枠パネル１０に配設する際には、取付部３２４に補強用鉄筋部材１８が挿通された時点で、取付部３２４と補強用鉄筋部材１８とを同時に包囲するように抱持部材３２６が装着される。この抱持部材３２６は、所定の強度を有する略板状の部材を平面視略コ字状に折曲して形成された凹状部３２６ａを有しており、さらに、この凹状部３２６ａの一方の端部には、平面視略コ字状を呈する切欠部３２６ｂが形成されている。
【００４６】
すなわち、この抱持部材３２６は、取付部３２４と補強用鉄筋部材１８との固定箇所において、凹状部３２６ａに補強用鉄筋部材１８を嵌着させるとともに、切欠部３２６ｂに取付部３２４及び懸橋部３２２を嵌着させるようにして装着されている。こうすることにより、抱持部材３２６は、取付部３２４と補強用鉄筋部材１８との固定状態を固定している。なお、取付部３２４は、補強用鉄筋部材１８に固定される際に、番線等を用いて固定されていてもよい。
【００４７】
次に、型枠形成ユニットＡ１の第４の変形例としての型枠用セパレータ４２０について図面を利用して説明する。
図９は、型枠形成ユニットＡ１の第４の変形例の要部の構成を示す斜視図である。
同図において、型枠用セパレータ４２０は、懸橋部４２２と、取付部４２４とを有している。ここで、取付部４２４は、上述の型枠用セパレータ２０とは取付部４２４の構造に異なる箇所を有しているので、それについて以下説明することとする。
【００４８】
取付部４２４は、所定の治具を用いて略Ｕ字形状に折曲されている。ここで、型枠用セパレータ４２０を型枠パネル１０に配設する際には、取付部４２４に補強用鉄筋部材１８が挿通された時点で、取付部４２４に抱持部材４２６が装着される。この抱持部材４２６は、所定の強度を有する略板状部材により形成されている。
【００４９】
また、この抱持部材４２６は、平面視略コ字状に形成されており、さらに、略コ字状の凹状部の奥まった位置に略円弧状を呈する一対の切欠部４２６ａ、４２６ｂが互いに対向するように形成されている。すなわち、この抱持部材４２６は、取付部４２４に補強用鉄筋部材１８が挿通された状態において、一方の切欠部４２６ａに取付部４２４の端部を固定させるとともに、他方の切欠部４２６ｂに取付部４２４と懸橋部４２２との境界付近が固定されている。こうすることにより、抱持部材４２６は、取付部３２４と補強用鉄筋部材１８との固定状態を抱持している。
【００５０】
次に、型枠形成ユニットＡ１の第５の変形例としての型枠用セパレータ５２０について図面を利用して説明する。
図１０は、型枠形成ユニットＡ１の第５の変形例の要部の構成を示す斜視図である。
同図において、型枠用セパレータ５２０は、懸橋部５２２と、取付部５２４とを有している。ここで、取付部５２４は、上述の型枠用セパレータ２０とは取付部５２４の構造に異なる箇所を有しているので、それについて以下説明することとする。
【００５１】
取付部５２４は、所定の治具を用いて略Ｕ字形状に折曲されている。ここで、型枠用セパレータ５２０を型枠パネル１０に配設する際には、取付部５２４に補強用鉄筋部材１８が挿通された時点で、取付部５２４と補強用鉄筋部材１８とを同時に包囲するように抱持部材５２６が装着される。この抱持部材５２６は、所定の強度を有する略板状の部材を組み立てることにより略箱状に形成されている。
【００５２】
また、この抱持部材５２６には、側面のいずれか一つの面に開口部５２６ａが形成されており、さらに、この開口部５２６ａと繋合するとともに箱の上下を貫通するように挿通口５２６ｂが形成されている。すなわち、この抱持部材５２６は、取付部５２４に補強用鉄筋部材１８が挿通された状態において、開口部５２６ａから挿通口５２６ｂまで補強用鉄筋部材１８と取付部５２４とを挿通させる。こうすることにより、抱持部材５２６は、取付部５２４と補強用鉄筋部材１８との固定状態を保持している。
【図面の簡単な説明】
【図１】本発明にかかる型枠形成ユニットＡ１の構成を示す全体斜視図である。
【図２】本発明にかかる型枠形成ユニットＡ１の要部の構成を示す拡大斜視図である。
【図３】本発明にかかる型枠形成ユニットＡ１の要部の構成を示す図であって、Ｘ１矢視線（図１参照）より視認した矢視断面図である。
【図４】本発明にかかる型枠形成ユニットＡ１の使用状態を示す斜視図である。
【図５】本発明にかかる型枠形成ユニットＡ１の応用例を示す斜視図である。
【図６】本発明にかかる型枠形成ユニットＡ１の第１の変形例を示す斜視図である。
【図７】本発明にかかる型枠形成ユニットＡ１の第２の変形例を示す斜視図である。
【図８】本発明にかかる型枠形成ユニットＡ１の第３の変形例を示す斜視図である。
【図９】本発明にかかる型枠形成ユニットＡ１の第４の変形例を示す斜視図である。
【図１０】本発明にかかる型枠形成ユニットＡ１の第５の変形例を示す斜視図である。
【符号の説明】
Ａ１…型枠形成ユニット
１０…型枠パネル
１２ａ…金属枠体
１２ｂ…網材
１８…補強用鉄筋部材
２０，１２０，２２０，３２０，４２０，５２０…型枠用セパレータ
２４，１２４，２２４，３２４，４２４，５２４…取付部
３２６，４２６，５２６…抱持部材
３２６ａ…凹状部
３２６ｂ，４２６ａ，４２６ｂ…切欠部
【図１】
2004124598.tif 000003
【図２】
2004124598.tif 000004
【図３】
2004124598.tif 000005
【図４】
2004124598.tif 000006
【図５】
2004124598.tif 000007
【図６】
2004124598.tif 000008
【図７】
2004124598.tif 000009
【図８】
2004124598.tif 000010
【図９】
2004124598.tif 000011
【図１０】
2004124598.tif 000012